(57)【特許請求の範囲】
【請求項１】
背もたれに固定し、角度調節部材における一方の連結孔に嵌合する連結軸を支承する軸承体と、長さ方向の両端部に連結孔を設けると共に、該連結孔を縮径するようになした前記角度調節部材と、長さ方向の一端部に、周壁の一部に軸方向に沿ったスリットを有する筒状部を直角に設け、該筒状部を前記角度調節部材における他方の連結孔に嵌合する第１連杆と、長さ方向の一端部に前記第１連杆の筒状部内に嵌合する連結軸を直角に設けた第２連杆と、前記第１連杆の他端部に一方の端部を枢着連結する第３連杆と、背面の板状連結部に前記第２連杆と第３連杆の他端部を枢着連結するヘッドレストとからなる病院用椅子におけるヘッドレスト支持装置。
【請求項２】
角度調節部材が、柱状をなし、長さ方向の両端部に連結孔を設けると共に、該連結孔を結ぶスリットを設け、更に長さ方向の中心部に配置した加圧手段をもって加圧することにより前記スリットを狭め、もって連結孔を縮径するようになした角度調節部材である請求項１記載の病院用椅子におけるヘッドレスト支持装置。
【請求項３】
角度調節部材が、柱状本体の長さ方向の両端部に環状の連結孔を設けると共に、これら連結孔に同一側において切欠部を設け、更に加圧手段をもって加圧することにより前記切欠部を狭め、もって連結孔を縮径するようになした角度調節部材である請求項１記載の病院用椅子におけるヘッドレスト支持装置。
【発明の詳細な説明】
【０００１】
【発明の属する技術分野】
本発明は、耳鼻科医院等の病院用椅子におけるヘッドレスト支持装置に関するものである。
【０００２】
【従来の技術】
耳鼻科医院等の病院用椅子は、背もたれに支持部材をもってヘッドレストを取り付けているが、ヘッドレストの背面はボルトで支持部材に連結されているために、医師等がヘッドレストを両手で持って力を入れて動かすこととなり、角度を変えるときに大きな力を必要とする。また、ヘッドレストの角度を折角調整しても、完全に患者に合った適正な位置にロックができず、このため位置決めも大雑把になりやすかった。
【０００３】
即ち、ヘッドレストは本来固定して使用するべきものであるが、患者一人一人の姿勢に合わすには、関節部を柔らかく動き易くしなければ困難である。また、柔らかければ固定できない面もあり、固定しようと思えば、さらにネジ等で締め付けなければならない。また、ネジ方向の逆の力が作用したときは、緩んでしまう危険がある。
【０００４】
また、従来の支持部材はヘッドレストの背もたれに接離する方向及び上下方向の動きがスムーズでなく、この点の改善が望まれていた。
【０００５】
【発明が解決しようとする課題】
本発明は上記の点に鑑みなされたものであって、ヘッドレストを作動させるときは柔らかく、固定するときは完全にロックすることができ、而も必要な角度、位置にワンタッチで固定することができ、更にヘッドレストの背もたれに接離する方向及び上下方向の動きがスムーズに行えるようになしたヘッドレスト支持装置を提供せんとするものである。
【０００６】
【課題を解決するための手段】
而して、本発明の要旨とするところは、背もたれに固定し、角度調節部材における一方の連結孔に嵌合する連結軸を支承する軸承体と、長さ方向の両端部に連結孔を設けると共に、該連結孔を縮径するようになした前記角度調節部材と、長さ方向の一端部に、周壁の一部に軸方向に沿ったスリットを有する筒状部を直角に設け、該筒状部を前記角度調節部材における他方の連結孔に嵌合する第１連杆と、長さ方向の一端部に前記第１連杆の筒状部内に嵌合する連結軸を直角に設けた第２連杆と、前記第１連杆の他端部に一方の端部を枢着連結する第３連杆と、背面の板状連結部に前記第２連杆と第３連杆の他端部を枢着連結するヘッドレストとからなる病院用椅子におけるヘッドレスト支持装置にある。
【０００７】
また、上記構成における角度調節部材としては、柱状をなし、長さ方向の両端部に連結孔を設けると共に、該連結孔を結ぶスリットを設け、更に長さ方向の中心部に配置した加圧手段をもって加圧することにより前記スリットを狭め、もって連結孔を縮径するようになした角度調節部材としてもよい。
【０００８】
更にまた、上記構成における角度調節部材としては、柱状本体の長さ方向の両端部に環状の連結孔を設けると共に、これら連結孔に同一側において切欠部を設け、更に加圧手段をもって加圧することにより前記切欠部を狭め、もって連結孔を縮径するようになした角度調節部材としてもよい。
【０００９】
【発明の実施の形態】
以下、本発明の実施形態について図面を参照しつつ説明する。
図１は本発明の第１実施形態の斜視図、図２は同左側面図、図３は同右側面図、図４は角度調節部材の中央縦断面図、図５は角度調節部材の作用説明図、図６は連杆の分解斜視図である。
【００１０】
図中、１は背もたれ（図示せず。）の背面上部中央にネジによって固定し、角度調節部材３における一方の連結孔４に嵌合する連結軸２を支承する軸承体である。
【００１１】
３は角度調節部材である。また、該角度調節部材３は、柱状をなし、長さ方向の両端部に連結孔４、５を設けると共に、該連結孔４、５を結ぶスリット６を設け、更に長さ方向の中心部に配置した加圧手段である油圧シリンダー７をもって加圧することにより、前記スリット６を狭めるようになすものである。また油圧シリンダー７は後記ヘッドレストに設けたスイッチによって操作するものである。尚、８は油圧シリンダーの押圧作動片となるピストン、９は油圧シリンダー７の下部に一体的に延設した脚部７ａを固定するためのピンである。また、油圧シリンダー７はポート７ｂ及び接続パイプ７ｃを介して図示しない油圧機構に接続している。尚、本実施形態ではパイプ７ｃの一端側を前記連結軸２に接続し、これの内部から前記軸承体１内を通って油が流通するようにしている。
【００１２】
そして、該油圧シリンダー７は、図５に示す如く油圧によってピストン８を押し下げ、スリット６が狭まるように撓ませるものである。これにより両端部の連結孔４、５は縮径され、それに嵌合した部材を締め付けるものである。
【００１３】
１０は第１連杆である。該第１連杆１０は長さ方向の一端部に、周壁の一部に軸方向に沿ったスリット１１を有する筒状部１２を直角に設け、該筒状部１２を前記角度調節部材３における他方の連結孔５に嵌合するものである。１０ａは枢軸連結孔、１０ｂは枢軸である。
【００１４】
１３は第２連杆であり、長さ方向の一端部に前記第１連杆１０の筒状部１２内に嵌合する連結軸１４を直角に設けている。１３ａは枢軸挿通孔、１３ｂは枢軸である。
【００１５】
１５は第３連杆であり、前記第１連杆１０の他端部に一方の端部を枢着するものである。１５ａ、１５ｂは枢軸挿通孔、１５ｃは枢軸である。また、該第３連杆１５は、本実施形態ではスペーサー１６を介して２個用いている。
【００１６】
１７はヘッドレストであり、背面の板状連結部１７ａに前記第２連杆１３と第３連杆１５の他端部を枢着連結している。そしてまた、該ヘッドレスト１７の適宜の部位には、前記油圧シリンダー７を操作するためのスイッチ１８を設けている。
【００１７】
而して、本実施形態にあっては、ヘッドレストを固定する前は、ヘッドレスト１７に設けたスイッチ１８を押したままにする。これにより軸承体１に支承した連結軸２と、第１連杆１０の筒状部１２及び第２連杆１３の連結軸１４は、夫々柱状の角度調節部材３の連結孔４、５内で自由に回転し得る状態である。したがって、力を要さずヘッドレストの角度、位置を自在に調整することができる。そしてヘッドレスト１７が最適な角度、位置になったらスイッチ１８を押していた指を離して、油圧シリンダー７を作動させれば、柱状の角度調節部材３の連結孔４、５が縮径し、瞬時に固定されるものである。
【００１８】
また、固定するまでの間、ヘッドレスト１７は柱状の角度調節部材３及び第１連杆１０、第２連杆１３、第３連杆１５の共働作用により、背もたれと接離する方向及び上下方向にスムーズに動かすことができる。
【００１９】
次に、図７及び図８に示した本発明の第２実施形態について説明する。尚、本実施形態と前記第１実施形態とは、柱状の角度調節部材の点において相違するのみであるから、その他の部材についての説明は省略する。
【００２０】
１９は柱状の角度調節部材である。２０、２１は連結孔、２２はスリットである。２３は長さ方向の中心部に穿設したスリット２２と直交する孔、２４はネジ杆２５を前記孔２３に挿通した連結杆であり、該ネジ杆２５の孔２３から突出している部分には押圧体２６を螺着している。２７は回動自在に軸着した操作レバー、２８は前記操作レバー２７の回動によってその一端側が押されて回動するように軸着された揺動杆であり、その他端側に前記連結杆２４を枢着連結している。
【００２１】
而して、該柱状の角度調節部材１９にあっては、操作レバー２７を図８中矢標方向に回動するように押しつけると、揺動杆２８が矢標方向に回動して連結杆２４を矢標方向に引きつけ、押圧体２６が上側から押圧してスリット２２が狭まるように撓めるものである。これにより各連結孔２０、２１は縮径してその内部に嵌合された部材を締め付けるものである。尚、本実施形態のその他の作用は前記第１実施形態と同様であるから詳細な説明は省略する。
【００２２】
次に、図９に示した本発明の第３実施形態について説明する。尚、本実施形態と前記第１実施形態とは、角度調節部材の点において相違するのみであるから、その他の部材についての説明は省略する。
【００２３】
２９は角度調節部材である。３０は柱状本体であり、その長さ方向の両端部には環状の連結孔３１、３２を設けている。そしてまた、該連結孔３１、３２は同一側において切欠部３３、３４を設けている。３５は前記柱状本体３０にその長さ方向に移動自在に貫挿する引張杆である。また、該引張杆３５は、その一方側の端部を柱状本体３０より突出させて押圧体３６を取着すると共に、他方側の端部近傍には柱状本体３０の切欠して設けた加圧部３０ａに当接する押圧体３７を取着し、更に他方側の端部は後記操作レバーの基部に枢着連結している。３８は前記柱状本体３０の端部に設けた枠部３０ｂに回動自在に軸着した操作レバーであり、基部周面に歯状部３９を設けている。４０は前記柱状本体３０の前記枠部３０ｂに回動自在に軸着したクリックである。
【００２４】
而して、該角度調節部材２９にあっては、操作レバー３８を図９中矢標方向に回動するように引きつけると、その基部が軸３８ａを支点として回動する。これに伴い引張杆３５が矢標方向に移動し、それに取着した各押圧体３６、３７によって柱状本体３０が引きつけられて撓み、連結孔３１、３２の切欠部３３、３４が狭められるものである。そしてこれにより各連結孔３１、３２は縮径してその内部に嵌合された部材を締め付けるものである。また、この縮径した状態は操作レバー３８の歯状部３９とクリック４０により保持される。尚、本実施形態のその他の作用は前記第１実施形態と同様であるから詳細な説明は省略する。
【００２５】
【発明の効果】
本発明は上記の如き構成、作用であるから、ヘッドレストを作動させるときは柔らかく、固定するときは完全にロックすることができ、而も必要な角度、位置にワンタッチで固定することができるものである。また、ヘッドレストの背もたれに接離する方向及び上下方向の動きをスムーズに行わせることができるものである。
【図面の簡単な説明】
【図１】本発明の第１実施形態の斜視図である。
【図２】本発明の第１実施形態の左側面図である。
【図３】本発明の第１実施形態の右側面図である。
【図４】角度調節部材の中央縦断面図である。
【図５】角度調節部材の作用説明図である。
【図６】連杆の分解斜視図である。
【図７】本発明の第２実施形態における角度調節部材の斜視図である。
【図８】本発明の第２実施形態における角度調節部材の中央縦断面図である。
【図９】本発明の第３実施形態における角度調節部材の中央縦断面図である。
【符号の説明】
１  軸承体
２  連結軸
３  角度調節部材
４、５  連結孔
６  スリット
７  油圧シリンダー
１０  第１連杆
１１  スリット
１２  筒状部
１３  第２連杆
１４  連結軸
１５  第３連杆
１７  ヘッドレスト
１８  スイッチ
１９  角度調節部材
２０、２１  連結孔
２２  スリット
２３  孔
２４  連結杆
２５  ネジ杆
２６  押圧体
２７  操作レバー
２８  揺動杆
２９  角度調節部材
３０  柱状本体
３１、３２  連結孔
３３、３４  切欠部
３５  引張杆
３６、３７  押圧体
３８  操作レバー
３９  歯状部
４０  クリック
【図１】
0004194739.tif 000002
【図２】
0004194739.tif 000003
【図３】
0004194739.tif 000004
【図４】
0004194739.tif 000005
【図５】
0004194739.tif 000006
【図６】
0004194739.tif 000007
【図７】
0004194739.tif 000008
【図８】
0004194739.tif 000009
【図９】
0004194739.tif 000010